(57)【要約】      （修正有）【課題】一人でも運べる程度の部材に分け、簡単に組み立てできる構成とすると共に、床部を起伏させるための起伏機構において、軸材と空孔部との嵌め合せ部において生じる小さなガタにより、起伏機構全体として大きなガタとならない組立構造を備えたベッドを提供する。【解決手段】背ボトムを起伏させる起伏機構部材を、基台フレームと該基台フレームに対して前後移動可能に配設される摺動フレーム２間に組み付ける組立構造とする。増速リンク２０を該増速リンク２０に設けた係止溝に前記摺動フレーム２に設けた第一固定ピン１７ａを通して摺動フレーム２に組み付け、背ボトムに固着された回動リンク２１を該回動リンク２１に設けた係止溝２４ａに前記増速リンク２０に設けた固定ピン２３ｃを通して増速リンク２０に組み付ける。摺動フレーム２に設けた空孔部２４ｂと回動リンク２１に設けた空孔部１６ａに支点ピン２５を連通させて組み付ける。【選択図】図１１
2007202671.tif 000002
【特許請求の範囲】
【請求項１】
床面に設置される基台フレームと、該基台フレームに対して前後に移動可能に組み付けられる摺動フレームと、前記基台フレームと摺動フレーム間に起伏機構を介して支持された背ボトムを有する背上げ可能なベッドにおいて、前記起伏機構の増速リンクを該増速リンクに設けた係止溝に前記摺動フレームに設けた第一固定ピンを通すようにして摺動フレームに組み付け、然る後、前記背ボトムに固着された起伏機構の回動リンクを該回動リンクに設けた係止溝に前記回動リンクに設けた固定ピンを通すようにして増速リンクに組み付け、そして、前記摺動フレームに設けた空孔部と前記回動リンクに設けた空孔部とに支点ピンを連通させて組み付ける組立構造としたことを特徴とする背上げ可能なベッド。
【請求項２】
前記基台フレームを前側フレームと後側フレームからなる構成とすると共に、前記後側フレームの前部側を幾らか持ち上げた状態で、該後側フレームの上側桁フレームの中間部下面に固着された係止プレートに設けた係止溝に、前記前側フレームの下側桁フレームの後部に固着された係止軸を引っ掛け、そして、後側フレームの前部側の持ち上げを止めて、後側フレームの前記上側桁フレーム前部下面に固着させた連結柱を、前側フレームの前記下側桁フレーム中間部上面に固着された平面視にて略々Ｌ字形状の連結具の内側に沿うようにして、該連結柱下面を下側桁フレームの上面に当接させて、前側フレームと後側フレームとを係り止め状態とし、然る後、前記連結柱と連結具のそれぞれに設けた空孔部に連結ピンを連通して、前側フレームと後側フレームとを連結固定する組立構造としたことを特徴とする請求項１に記載の背上げ可能なベッド。
【発明の詳細な説明】
【技術分野】
【０００１】
本発明は、背上げ可能なベッドにおける組立構造に関するものである。
【背景技術】
【０００２】
従来より、ベッドの一形態として、床部を昇降させたり、床部を起伏させたりすることができ、必要に応じて床部を昇降させて介護したり、床部を起伏させて楽な姿勢でくつろぐことのできるベッドが広く知られている。しかしながら、このようなベッドは病院や老人ホームと言った施設で使われることが多く、また、永続的に使用されることがほとんどであるために、極めて頑丈な設計となっていることが多い。
【０００３】
上記のようなベッドが多い中、次のようなベッドが提案されている。
このベッドは、寝台部前方を昇降支持する寝台部前方昇降手段と、寝台部後方を昇降支持する寝台部後方昇降手段とにより、寝台部を昇降可能とした寝台部昇降可動ベッドである。前記寝台部前方昇降手段は、回動駆動する前方回動軸から前方に突設した前方第１連結アームに、前方第２連結アームを介して寝台前方支持アームを接続して構成している。また、寝台部後方昇降手段は、回動駆動する後方回動軸から後方に突設した後方第１連結アームに、後方第２連結アームを介して寝台後方支持アームを接続して構成している。そして、前記寝台部前方昇降手段の前方回動軸と前記寝台部後方昇降手段の後方回動軸を互いに逆方向に回動駆動させ、寝台前方支持アームと寝台後方支持アームの間隔を一定に保ちながら鉛直方向に昇降させるべく構成したものである。
【０００４】
また、昇降フレームの第１係合用突起と第２係合用突起の配設部には補強板を重着し、フレーム係合連結板は同補強板に重合させて連結し、さらに、重合したフレーム係合連結板と補強板と貫通するフレーム固定ピンを挿着することにより、前端フレーム及び後端フレームの昇降フレームへの固定を行なうべく構成している。なお、前記フレーム固定ピンには、第１係合用突起と第２係合用突起とを用いて配設した固定ピン脱落防止体を当接させるべく構成している。
さらに、寝台板支持フレームの前端に前端板を装着するとともに、寝台板支持フレームの後端に後端板を装着すべく、寝台板支持フレームの前端及び後端には、上部係止ピンと下部係止ピンとを鉛直方向に並べて突設した前端板用連結板及び後端板用連結板をそれぞれ突設している。前記前端板には、前端板用連結板の上部係止ピンと係合する上部係合溝と、下部係止ピンに係合する下部係合溝とを形成した端板係合連結板を突設している。また、後端板にも、後端板用連結板の上部係止ピンと係合する上部係合溝と、下部係止ピンと係合する下部係合溝とを形成した端板係合連結板を突設している。また、端板係合連結板には、前端板用連結板又は後端板用連結板を貫通する端板固定ピンを進退自在に配設している。そして、端板係合連結板を介して前端板を寝台板支持フレーム前端に取着した後に、端板固定ピンを前端板用連結板に貫通させることにより前端板を寝台板支持フレームに固定するとともに、端板係合連結板を介して後端板を寝台板支持フレーム後端に取着した後に、端板固定ピンを後端板用連結板に貫通させることにより後端板を寝台板支持フレームに固定すべく構成している（例えば、特許文献１参照。）。
【特許文献１】特開２００３−２３５９０８号公報
【発明の開示】
【発明が解決しようとする課題】
【０００５】
しかしながら、このベッドの組立構造では、各部はコンパクトに分離可能であるが、組立に必要なピン等の小部品が多数必要であり、組立途中に誤って紛失したりする恐れがある。また、一方の部材に別の部材を合わせてピン等で固定する方法は、簡単ではあるが意外と煩わしい作業である。さらに、その方法では、二つの部材のそれぞれに設けるピン等を挿通させる空孔部の直径の大きさが、前記ピン等の直径の大きさに対して大きくなるため、空孔部とピン等との嵌め合せ部において小さなガタが生じることとなる。そのため、ベッドの床部を起伏させるための起伏機構等の可動部を組み立てるにあたり、その小さなガタが複数介在することで、ベッドの可動部全体として大きなガタが生じてしまう問題がある。
そこで、本発明が解決しようとする課題は、一人でも運べる程度の部材に分け、それらの部材を簡単に組み立てできる構成とすると共に、床部を起伏させるための起伏機構においては、軸材と空孔部との嵌め合せ部において生じる小さなガタにより、起伏機構全体として大きなガタとならない組立構造を備えたベッドを提供することである。
【課題を解決するための手段】
【０００６】
請求項１の発明は、床面に設置される基台フレームと、該基台フレームに対して前後に移動可能に組み付けられる摺動フレームと、前記基台フレームと摺動フレーム間に起伏機構を介して支持された背ボトムを有する背上げ可能なベッドにおいて、前記起伏機構の増速リンクを該増速リンクに設けた係止溝に前記摺動フレームに設けた第一固定ピンを通すようにして摺動フレームに組み付け、然る後、前記背ボトムに固着された起伏機構の回動リンクを該回動リンクに設けた係止溝に前記回動リンクに設けた固定ピンを通すようにして増速リンクに組み付け、そして、前記摺動フレームに設けた空孔部と前記回動リンクに設けた空孔部とに支点ピンを連通させて組み付ける組立構造としたことを特徴とする。
また、請求項２の発明は、前記基台フレームを前側フレームと後側フレームからなる構成とすると共に、前記後側フレームの前部側を幾らか持ち上げた状態で、該後側フレームの上側桁フレームの中間部下面に固着された係止プレートに設けた係止溝に、前記前側フレームの下側桁フレームの後部に固着された係止軸を引っ掛け、そして、後側フレームの前部側の持ち上げを止めて、後側フレームの前記上側桁フレーム前部下面に固着させた連結柱を、前側フレームの前記下側桁フレーム中間部上面に固着された平面視にて略々Ｌ字形状の連結具の内側に沿うようにして、該連結柱下面を下側桁フレームの上面に当接させて、前側フレームと後側フレームとを係り止め状態とし、然る後、前記連結柱と連結具のそれぞれに設けた空孔部に連結ピンを連通して、前側フレームと後側フレームとを連結固定する組立構造としたことを特徴とする。
【発明の効果】
【０００７】
請求項１の発明によれば、起伏機構を増速リンクや背ボトムに固着された回動リンク等の複数の着脱可能な部材からなる構成としている。そして、該起伏機構を次のようにして組み付ける組立構造としている。まず、起伏機構の増速リンクを該増速リンクに設けた係止溝に前記摺動フレームに設けた第一固定ピンを通すようにして摺動フレームに組み付ける。そして、前記背ボトムに固着された起伏機構の回動リンクを該回動リンクに設けた係止溝に前記回動リンクに設けた固定ピンを通すようにして増速リンクに組み付ける。然る後、前記摺動フレームに設けた空孔部と前記回動リンクに設けた空孔部とに支点ピンを連通させて組み付けるようにしている。
これによると、まず、当該起伏機構は、複数の着脱可能な部材からなる構成としたことで、搬出入の際には、起伏機構を持ち運びやすい大きさに分割することができ、搬出入の作業を楽に行える。
また、当該起伏機構は、上述したように、摺動フレームに設けた第一固定ピンに増速リンクに設けた係止溝を通しながら増速リンクを摺動フレームに取り付けるようにしたことと、前記増速リンクに設けた固定ピンに背ボトムに固着された回動リンクに設けた係止溝を通しながら回動リンクを増速リンクに組み付けるようにしたことから、増速リンク及び回動リンクを組み付けて行くにあたり、小さな軸材を結合部分に差し込んで、該軸材の脱落を防止するピン材を軸材に取り付けるといった作業を最小限に抑えることができ、簡単かつ楽に組み付けを行える。
さらに、当該起伏機構は、上述したように組み付けるようにしたことで、背ボトムを起伏させるための主要な部材において、空孔部に軸材を挿通して組み付ける嵌め合せ部を、背ボトムの回動中心となる支点ピンを回動リンクの空孔部と摺動フレームに設けた空孔部とに連通させて組み付ける部分のみとでき、嵌め合せ部を最小限に抑えることができる。したがって、このように組み付けるようにしたことで、軸材と該軸材を挿通させる空孔部との嵌め合せ部に生じる小さなガタを最小限に抑えることができ、起伏機構の主要部全体としてのガタをほぼ無くすことができる。よって、背ボトムを背上げさせる際に、背ボトムがガタつくことを抑えることができ、ベッドに仰臥した人に不快感を感じさせないようにできる。
【０００８】
請求項２の発明によれば、前記基台フレームを前側フレームと後側フレームからなる構成としている。そして、前記前側フレームと後側フレームとの連結固定を次のようにして行うようにしている。まず、前記後側フレームの前部側を幾らか持ち上げた状態で、該後側フレームの上側桁フレームの中間部下面に固着された係止プレートに設けた係止溝に、前記前側フレームの下側桁フレームの後部に固着された係止軸を引っ掛ける。そして、後側フレームの前部側の持ち上げを止めて、後側フレームの前記上側桁フレーム前部下面に固着させた連結柱を、前側フレームの前記下側桁フレーム中間部上面に固着された平面視にて略々Ｌ字形状の連結具の内側に沿うようにして、該連結柱下面を下側桁フレームの上面に当接させて、前側フレームと後側フレームとを係り止め状態とする。然る後、前記連結柱と連結具のそれぞれに設けた空孔部に連結ピンを連通して、前側フレームと後側フレームとを連結固定するようにしている。
これによると、まず、当該基台フレームは、前側フレームと後側フレームからなる二分割構成としたことから、基台フレームを搬出入する際には、基台フレームを持ち運びやすい大きさに分割することができ、搬出入の作業を楽に行える。
また、当該基台フレームは、前側フレームと後側フレームとを上述したように組み立てるようにしていることで、後側フレームの係止プレートに設けた係止溝に前側フレームの係止軸を係止させるだけで後側フレームに対する前側フレームの位置合わせをすることができる。さらに、前側フレームと後側フレームとを係り止め状態とすると、前側フレームと後側フレームの下方からの負荷以外では、その係り止め状態は解除されないようにしていることから、何らかの部材を支えながら、前記連結具と連結柱のそれぞれに設けた空孔部に連結ピンを組み付ける必要はなく、楽に連結ピンを組み付けることができ、前側フレームと後側フレームを至便に連結固定させることができる。また、前側フレームと後側フレームを連結固定させるにあたり、螺子や工具を不要としていることから簡単に組み立てられる。したがって、当該基台フレームは、極めて組立分解を至便に行える。
【発明を実施するための最良の形態】
【０００９】
背上げ可能なベッドにおいて、背ボトムを起伏させるための起伏機構を、床面に設置される基台フレームと該基台フレームに対して前後に移動可能に組み付けられる摺動フレームとの間に次のようにして組み付ける組立構造とする。まず、前記起伏機構を、増速リンクと前記背ボトムに固着された回動リンクとロッドからなる構成とする。そして、前記増速リンクを該増速リンクに設けた係止溝に前記摺動フレームに設けた第一固定ピンを通すようにして摺動フレームに組み付ける。続いて、前記回動リンクを該回動リンクに設けた係止溝に前記増速リンクに設けた固定ピンを通すようにして増速リンクに組み付ける。このとき、該回動リンクが固着された背ボトムが前記基台フレームと当接することで前記増速リンクの脱落を防止するようにしている。そして、前記摺動フレームに設けた空孔部と前記回動リンクに設けた空孔部とに支点ピンを連通させて組み付ける。然る後、前記ロッドの一端部を背ボトムに軸ピンにて枢結させると共に、該ロッドの他端部を基台フレームに軸ピンにて枢結させて組み付ける組立構成とする。
また、前記基台フレームを前側フレームと後側フレームからなる構成する。そして、前記後側フレームの前部側を幾らか持ち上げた状態で、該後側フレームの上側桁フレームの中間部下面に固着された平面視にて略々Ｌ字形状の係止プレートの前側下部に設けた係止溝に、前記前側フレームの下側桁フレームの後部に内側へ突出するよう固着された係止軸を引っ掛ける。続いて、後側フレームの前部側の持ち上げを止めて、後側フレームの前記上側桁フレーム前部下面に固着させた連結柱を、前側フレームの前記下側桁フレーム中間部上面に固着された平面視にて略々Ｌ字形状の連結具の内側に沿うようにして、該連結柱下面を下側桁フレームの上面に当接させて、前側フレームと後側フレームとを係り止め状態とする。然る後、前記連結柱と連結具のそれぞれに設けた空孔部に連結ピンを連通し、前側フレームと後側フレームとを連結固定する組立構造とする。
【実施例１】
【００１０】
本発明に係る組立構造を備えたベッドＢの一実施形態を図面に基づいて説明する。
このベッドＢは床面に設置される基台フレーム１と、該基台フレーム１に対して前後に移動する摺動フレーム２と、該摺動フレーム２を基台フレーム１に対して前後に動作させるための駆動手段３と、さらに、前記基台フレーム１に組み付けられる腰ボトム４と、前記基台フレーム１と摺動フレーム２間に摺動フレーム２の前後移動により動作される起伏機構５を介して、前記腰ボトム４と同一平面を形成可能に組み付けられる背ボトム６と、前記基台フレーム１と摺動フレーム２間に前記起伏機構５を介して組み付けられる収納手段７と、該収納手段７に前記腰ボトム４と平行な平面を形成可能に組み付けられる脚ボトム８から主に構成されている。
以下、各部材の構成と各部材の組立方法を図面に基づいて説明する。
【００１１】
まず、基台フレーム１について第１図から第４図に基づいて説明する。
この基台フレーム１は、前側フレーム９と後側フレーム１０から構成されており、前記両フレーム９，１０は互いに着脱可能に構成されている。
前記前側フレーム９は、第１図に示すように、設置脚９ａ，９ａが下部に設けられた支柱脚９ｂ，９ｂ間に正面視にて両端部が上方に曲折された連結桁９ｃが固着されている。さらに、前記連結桁９ｃ中間部の端部側寄りの位置に、後方へ突出するよう下側桁フレーム９ｄ，９ｄの前端が固着され、該下側桁フレーム９ｄ，９ｄの後部間に補強部材９ｅが固着されている。また、前記下側桁フレーム９ｄ，９ｄ前部には支持部材９ｆ，９ｆが固着され、該支持部材９ｆ，９ｆの前部と後部には内側へ突出するよう軸材９ｇ，９ｇ，・・・が固着されると共に、該軸材９ｇ，９ｇ，・・・に後述する収納手段７の構成部材を案内するためのローラー９ｈ，９ｈ，・・・が組み付けられている。さらに、前記支持部材９ｆ，９ｆの前部には外側へ突出するよう軸材９ｉ，９ｉが固着され、該軸材９ｉ，９ｉに後述する脚ボトム８を支持するためのローラー９ｊ，９ｊが組み付けられている。また、前記下側桁フレーム９ｄ，９ｄの後部には内側へ突出するよう係止軸１１，１１が固着され、中間部上面には平面視にて略々Ｌ字形状の連結具１２，１２が固着されている。また、下側桁フレーム９ｄ，９ｄ後部前側寄りには軸受部材９ｋ，９ｋが外側へ突出するよう固着されている。なお、前記連結具１２，１２には横方向の空孔部１２ａ，１２ａが設けられている。
前記後側フレーム１０は、第１図に示すように、設置脚１０ａ，１０ａが下部に設けられた支柱脚１０ｂ，１０ｂ間に連結桁１０ｃが固着されている。さらに、前記連結桁１０ｃ中間部の端部側寄りの位置に、前方へ突出するよう上側桁フレーム１０ｄ，１０ｄの後部が固着され、該上側桁フレーム１０ｄ，１０ｄ中間部下面に平面視にて略々Ｌ字形状の係止プレート１３，１３が固着されると共に、該係止プレート１３，１３間に補強部材１０ｅが固着されている。また、上側桁フレーム１０ｄ，１０ｄの前部外側面には正面視にて略々Ｌ字形状に構成された支持プレート１０ｆ，１０ｆが固着され、前部下面には連結柱１４，１４が固着されている。さらに、上側桁フレーム１０ｄ，１０ｄの前部と中間部には内側へ突出するよう軸材１０ｇ，１０ｇ，・・・が固着され、該軸材１０ｇ，１０ｇ，・・・に後述する摺動フレーム２を案内するためのローラー１０ｈ，１０ｈ，・・・が組み付けられている。また、上側桁フレーム１０ｄ，１０ｄの後部上面には板を屈曲させてバネとして機能するよう構成した支持具１０ｉ，１０ｉが固着され、前部には後述する腰ボトム４が組み付けられる軸受板１０ｊ，１０ｊが固着されている。なお、前記係止プレート１３，１３の前側下部には前部側に開口部を有する係止溝１３ａ，１３ａが設けられ、前記連結柱１４，１４には横方向の空孔部１４ａ，１４ａが設けられている。また、前記連結桁１０ｃの中間部には後述する駆動手段３を組み付けるためのブラケット１０ｋが固着されている。
【００１２】
このように構成された前側フレーム９と後側フレーム１０は次のようにして互いに連結固定される。
まず、第１図に示すように、後側フレーム１０の前部側を幾らか持ち上げた状態で前側フレーム９を後側フレーム１０側に引き寄せて、前側フレーム９の係止軸１１，１１を後側フレーム１０の係止プレート１３，１３に設けた係止溝１３ａ，１３ａに引っ掛け、第２図に示す状態とする。
そして、第２図に示すように、前部側を持ち上げていた後側フレーム１０を持ち上げることを止め、前記係止軸１１，１１を中心に後側フレーム１０前部側を下方回動させる。すると、第３図に示すように、後側フレーム１０の前記連結柱１４，１４が前側フレーム９の前記連結具１２，１２の内側に沿うようになると共に、該連結柱１４，１４下面が下側桁フレーム９ｄ，９ｄの上面に当接するようになる。この状態となると、前側フレーム９の後部は前記支持軸１１，１１が後側フレーム１０の係止溝１３ａ，１３ａに係止されていることから後側フレーム１０に支持された状態となり、後側フレーム１０の前部は前記連結柱１４，１４が前側フレーム９の下側桁フレーム９ｄ，９ｄに当接された状態となることから前側フレーム９に支持された状態となる。すなわち、前側フレーム９と後側フレーム１０に上方から作用する負荷により、前側フレーム９の後部側及び後側フレーム１０の前部側が下方に回動できない状態となり、前側フレーム９と後側フレーム１０のそれぞれに設けた支柱脚９ｂ，９ｂ，１０ｂ，１０ｂにて上側桁フレーム１０ｄ，１０ｄ及び下側桁フレーム９ｄ，９ｄが床面に対して略々水平に支持された係り止め状態となっている。また、この状態では、前記連結具１２，１２を平面視にて略々Ｌ字形状に構成していることで、前側フレーム９及び後側フレーム１０に前後方向あるいは横方向から負荷が作用した場合でも、前側フレーム９と後側フレーム１０の互いの位置関係が所定の状態からずれないようにしており、上述した係り止め状態が解除されないようになっている。
然る後、前側フレーム９と後側フレーム１０の下方から負荷が作用した場合でも、前側フレーム９と後側フレーム１０の上述した係り止め状態が解除されないように、第３図に示すように、連結ピン１５，１５を前記連結具１２，１２と連結柱１４，１４のそれぞれに設けた空孔部１２ａ，１２ａ，１４ａ，１４ａに連通させる。このようにして、前側フレーム９と後側フレーム１０を連結固定させて、第４図に示すように、基台フレーム１を前側フレーム９と後側フレーム１０から組み立てる。なお、前記連結ピン１５，１５には脱落防止用の図示しない抜け止めピンが組み付けられる。また、基台フレーム１を分解する際は、上記とは逆の手順を取ればよい。
【００１３】
このように当該基台フレーム１は、前側フレーム９と後側フレーム１０からなる二分割構成としたことから、基台フレーム１を搬出入する際には、基台フレーム１を持ち運びやすい大きさに分割することができ、搬出入の作業を楽に行える。
また、当該基台フレーム１は、前側フレーム９と後側フレーム１０とを上述したように組み立てるようにしていることで、後側フレーム１０の係止プレート１３，１３に設けた係止溝１３ａ，１３ａに前側フレーム９の係止軸１１，１１を係止させるだけで後側フレーム１０に対する前側フレーム９の位置合わせをすることができる。さらに、前側フレーム９と後側フレーム１０とを係り止め状態とすると、前側フレーム９と後側フレーム１０の下方からの負荷以外では、その係り止め状態が解除されないようにしていることから、何らかの部材を支えながら、連結具１２，１２と連結柱１４，１４のそれぞれに設けた空孔部１２ａ，１２ａ，１４ａ，１４ａに連結ピン１５，１５を組み付ける必要はなく、楽に連結ピン１５，１５を組み付けることができ、前側フレーム９と後側フレーム１０を至便に連結固定させることができる。また、前側フレーム９と後側フレーム１０を連結固定させるにあたり、螺子や工具を不要としていることから簡単に組み立てられる。したがって、当該基台フレーム１は、極めて組立分解を至便に行える構成とされている。
【００１４】
続いて、前記摺動フレーム２について第５図と第６図に基づいて説明する。
摺動フレーム２は、第５図に示すように、正面視にて略々コ字形状の開放側が外側を向くよう所定間隔をおいて配設されたレール２ａ，２ａの後部間と中間部間に、補強部材２ｂと連結桁２ｃが固着されている。さらに、前記レール２ａ，２ａの前部上面に側面視にて略々台形状の案内部材１６，１６が固着され、該案内部材１６，１６の前部間に補強部材２ｄが固着されている。また、前記レール２ａ，２ａの前部内側面には所定の位置に第一固定ピン１７ａ，１７ａと第二固定ピン１７ｂ，１７ｂが内側へ突出するよう固着されたプレート１７，１７が固着されている。さらに、前記プレート１７，１７の第一固定ピン１７ａ，１７ａ後上方には空孔部１７ｃ，１７ｃが穿たれ、該空孔部１７ｃ，１７ｃの軸心上に軸心を有する空孔部１６ａ，１６ａが前記案内部材１６，１６に穿たれている。また、前記連結桁２ｃ中間部下面には後述する駆動手段３を組み付けけるための取付具２ｅが固着されている。
【００１５】
このように構成された摺動フレーム２は、第５図に示すように、前記レール２ａ，２ａ内にて前記基台フレーム１の後側フレーム１０に設けたローラー１０ｈ，１０ｈ，・・・が転動されるように、前記後側フレーム１０の上側桁フレーム１０ｄ，１０ｄ間に差し込むようにして前後摺動可能に組み付ける。そして、第６図に示すように、駆動手段３である適宜伸縮可能なアクチュエーターの前部を摺動フレーム２の取付具２ｅにピン材１８にて組み付け、後部を前記基台フレーム１の後側フレーム１０に設けたブラケット１０ｋにピン材１９にて組み付ける。このように駆動手段３を組み付けることで、摺動フレーム２の基台フレーム１からの脱落を防止すると共に、図示しない制御装置により駆動手段３に伸縮動作をさせることで、摺動フレーム２のレール２ａ，２ａが基台フレーム１に設けた前記ローラー１０ｈ，１０ｈ，・・・に案内されて、摺動フレーム２が基台フレーム１に対して前後に移動されるようにしている。
なお、本実施例では駆動手段として伸縮自在なアクチュエーターを使用しているが、駆動手段は摺動フレームを基台フレームに対して前後に移動できるものであればよく、液圧シリンダや螺子の螺合によるもの、また、基台フレームに取り付けられたモーターの回転によってループ状のチェーン等が押し引きされるよう構成し、このチェーンの一部に摺動フレームを取り付けたものであっても何ら問題はない。
【００１６】
次に、前記背ボトム６と、前記摺動フレーム２の前後移動により動作される起伏機構５について第７図から第１２図に基づいて説明する。
まず、背ボトム６は、第９図に示すように、平面視にて前方側が開放された略々コ字形状に曲折された枠フレーム６ａの端部間に連結フレーム６ｂが固着されている。さらに、側面視にて略々へ字形状に曲折された回動フレーム６ｃ，６ｃの前端部が前記連結フレーム６ｂの前下方へ突出する状態にて、該回動フレーム６ｃ，６ｃの後端部が前記枠フレーム６ａ後部側中間部に所定間隔をおいて固着されると共に、回動フレーム６ｃ，６ｃと連結フレーム６ｂとの当接部が固着されている。また、前記連結フレーム６ｂの前記回動フレーム６ｃ，６ｃ外側の位置に前方へ突出するようブラケット６ｄ，６ｄが固着されている。さらに、前記枠フレーム６ａ後部側と連結フレーム６ｂ間に複数のステー材６ｅ，６ｅ，・・・が固着されている。
続いて、起伏機構５は、増速リンク２０と、前記背ボトム６に固着される回動リンク２１と、背ボトム６と前記基台フレーム１間に組み付けられるロッド２２，２２から主に構成されている。
前記増速リンク２０は、第７図に示すように、上部側に開口部を有する側面視にて略々逆へ字形状の係止溝２３ａ，２３ａが設けらて、後部にフック部２３ｂ，２３ｂが形成された増速プレート２３，２３を所定間隔に離間させた状態にて、該増速プレート２３，２３前部間に連結部材２０ａが固着されている。さらに、前記係止溝２３ａ，２３ａの後端部は側面視にて半円弧に構成されており、この半円弧と同心円弧となるように、前記フック部２３ｂ，２３ｂの側面視における外周は構成されている。また、増速プレート２３，２３中間部には内側に突出するよう固定ピン２３ｃ，２３ｃが固着されている。さらに、前記連結部材２０ａの中間部に後述する収納手段７の取付具２０ｂ，２０ｂが固着されている。
前記回動リンク２１は、第９図に示すように、前部側に開口部を有する係止溝２４ａ，２４ａが前部に設けられた回動プレート２４，２４を所定間隔に離間させた状態にて、該回動プレート２４，２４後部間に連結部材２１ａが固着されている。さらに、前記回動プレート２４，２４後部には空孔部２４ｂ，２４ｂが設けられている。この回動リンク２１は、前記背ボトム６の回動フレーム６ｃ，６ｃの前部に、回動プレート２４，２４の内側面が前記回動フレーム６ｃ，６ｃの外側面に沿うように配設された状態で、背ボトム６に固着されている。
次に、前記ロッド２２，２２は、第１２図に示すように、一端部にボス材２２ａ，２２ａが固着された外筒ロッド２２ｂ，２２ｂに、内側ロッド２２ｃ，２２ｃの一端部が幾らか外筒ロッド２２ｂ，２２ｂから突出する状態で挿通されて構成されており、ロッド２２，２２全体が伸縮可能かつ該ロッド２２，２２は外筒ロッド２２ｂ，２２ｂと内側ロッド２２ｃ，２２ｃとに分離可能とされている。
【００１７】
このように構成された起伏機構５の各部材は次のようにして前記摺動フレーム２及び基台フレーム１に組み付けられる。
まず、第７図に示すように、増速リンク２０の増速プレート２３，２３に設けた係止溝２３ａ，２３ａに前記摺動フレーム２のプレート１７，１７に固着した第一固定ピン１７ａ，１７ａを通すようにして、増速プレート２３，２３のフック部２３ｂ，２３ｂを引っ掛ける。そして、第８図に示すように、前記第一固定ピン１７ａ，１７ａを中心に幾らか増速リンク２０の前部側を下方回動させて、前記フック部２３ｂ，２３ｂ先端を前記プレート１７，１７と第二固定ピン１７ｂ，１７ｂ間かつ側面視におけるフック部２３ｂ，２３ｂ外周が第二固定ピン１７ｂ，１７ｂに当接するよう挿通させて増速リンク２０を組み付ける。
次に、第９図に示すように、背ボトム６に固着した回動リンク２１の回動プレート２４，２４に設けた係止溝２４ａ，２４ａに前記増速リンク２０に固着した固定ピン２３ｃ，２３ｃを通しながら回動リンク２１を組み付け、第１０図に示す状態とする。そして、第１０図に示すように、前記摺動フレーム２の案内部材１６，１６とプレート１７，１７のそれぞれに設けた空孔部１６ａ，１６ａ，１７ｃ，１７ｃと回動プレート２４，２４に設けた空孔部２４ｂ，２４ｂとに支点ピン２５，２５を連通させて、第１１図に示すように組み付ける。この状態では、増速リンク２０が前記第一固定ピン１７ａ，１７ａを中心に回動したときに、前記増速プレート２３，２３のフック部２３ｂ，２３ｂの側面視における外周が支点ピン２５，２５に当接しながら回動するようにされている。すなわち、増速リンク２０の増速プレート２３，２３は前記第二固定ピン１７ｂ，１７ｂ及び支点ピン２５，２５により規制された状態で回動するようにされている。また、この状態では、背ボトム６が第１２図に示すように前記基台フレーム１の後側フレーム１０に設けた支持具１０ｉ，１０ｉに当接した状態となることで、第１１図に示す状態から増速リンク２０の前部が前上方へ回動できないようになり、増速リンク２０の前記摺動フレーム２からの脱落が防止された状態となる。さらに、第１２図に示す背ボトム６と前記基台フレーム１の支持具１０ｉ，１０ｉが当接した状態では、背ボトム６は床面に対して略々水平な状態にて支持されるようになっている。なお、前記支点ピン２５，２５には脱落防止用の図示しない抜け止めピンが組み付けられる。
然る後、第１２図に示すように、前記ロッド２２，２２の外筒ロッド２２ｂ，２２ｂに設けたボス部材２２ａ，２２ａと背ボトム６のブラケット６ｄ，６ｄとを軸ピン２６，２６にて枢結させると共に、内側ロッド２２ｃ，２２ｃの前記外筒ロッド２２ｂ，２２ｂからの突出側端部と基台フレーム１の前側フレーム９に設けた軸受部材９ｋ，９ｋとを軸ピン２７，２７にて枢結させる。
このようにして、背ボトム６と起伏機構５の各部材を前記摺動フレーム２と基台フレーム１に組み付ける。
【００１８】
このように当該起伏機構５は、複数の着脱可能な部材からなる構成としたことで、搬出入の際には、起伏機構５を持ち運びやすい大きさに分割することができ、搬出入の作業を楽に行える。
また、当該起伏機構５は、上述したように摺動フレーム２に設けた第一固定ピン１７ａ，１７ａに増速リンク２０に設けた係止溝２３ａ，２３ａを通しながら増速リンク２０を摺動フレーム２に取り付けるようにしたことと、前記増速リンク２０に設けた固定ピン２３ｃ，２３ｃに回動リンク２１に設けた係止溝２４ａ，２４ａを通しながら回動リンク２１を増速リンク２０に組み付けるようにしたことから、増速リンク２０及び回動リンク２１を組み付けて行くにあたり、小さな軸材を結合部分に差し込んで、該軸材の脱落を防止するためのピン材を軸材に取り付けるといった作業をなくすことができ、簡単かつ楽に組み付けを行える。
さらに、当該起伏機構５は、上述したように組み付けるようにしたことで、背ボトム６を起伏動作させるための主要な部材において、空孔部に軸材を挿通して組み付ける嵌め合せ部を、背ボトム６の回動中心となる支点ピン２５，２５を回動リンク２１の空孔部２４ｂ，２４ｂと摺動フレーム２の案内部材１６，１６とプレート１７，１７に設けた空孔部１６ａ，１６ａ，１７ｃ，１７ｃとに連通させて組み付ける部分のみとでき、嵌め合せ部を最小限に抑えることができる。また、増速リンク２０のフック部２３ｂ，２３ｂが前記支点ピン２５，２５及び第二固定ピン１７ｂ，１７ｂに常時当接される状態にて組み付けられることから、前記第一固定ピン１７ａ，１７ａを中心に増速リンク２０をガタつくことなく回動させることができる。さらに、支点ピン２５，２５と前記摺動フレーム２の案内部材１６，１６とプレート１７，１７に設けた空孔部１６ａ，１６ａ，１７ｃ，１７ｃとの嵌め合せ部から生じる小さなガタをほぼ無くすことができ、嵌め合わせ部から生じる小さなガタを回動リンク２１の回動プレート２４，２４に設けた空孔部２４ｂ，２４ｂと支点ピン２５，２５との嵌め合せ部からのみとすることができる。よって、背ボトム６を背上げさせる際に、背ボトム６がガタつくことを抑えることができ、ベッドＢに仰臥した人に不快感を感じさせないようにできる。
【００１９】
なお、本実施例では、起伏機構５の回動リンク２１を増速リンク２０に組み付けた後、背ボトム６と基台フレーム１間にロッド２２，２２を軸ピン２６，２６，２７，２７にて組み付けるようにしているが、次のようにしても良い。まず、上述したように、増速リンク２０を摺動フレーム２に組み付ける。続いて、第１９図に示すように、背ボトム６に固着した回動リンク２１の係止溝２４ａ，２４ａに増速リンク２０の固定ピン２３ｃ，２３ｃを通すようにして回動リンク２１を増速リンク２０に組み付けると共に、予め背ボトム６のブラケット６ｄ，６ｄに軸ピン２６，２６にてボス部材２２ａ，２２ａを枢結させた前記外筒ロッド２２ｂ，２２ｂに予め基台フレーム１の軸受部材９ｋ，９ｋに軸ピン２７，２７にて枢結させた内側ロッド２２ｃ，２２ｃを挿通させて背ボトム６と基台フレーム１間にロッド２２，２２を組み付けた状態とする。然る後、支点ピン２５，２５を前記回動リンク２１の空孔部２４ｂ，２４ｂと摺動フレーム２の案内部材１６，１６とプレート１７，１７に設けた空孔部１６ａ，１６ａ，１７ｃ，１７ｃとに連通させて、第１２図に示すように、背ボトム６と起伏機構５の各部材を前記摺動フレーム２と基台フレーム１に組み付ける。
このように、予めロッド２２，２２の外筒ロッド２２ｂ，２２ｂを背ボトム６に組み付けると共にロッド２２，２２の内側ロッド２２ｃ，２２ｃを基台フレーム１に組み付けておくと、搬入先にて、外筒ロッド２２ｂ，２２ｂに設けたボス部材２２ａ，２２ａと背ボトム６のブラケット６ｄ，６ｄとを軸ピン２６，２６にて枢結させると共に、内側ロッド２２ｃ，２２ｃの前記外筒ロッド２２ｂ，２２ｂからの突出側端部と基台フレーム１の軸受部材９ｋ，９ｋとを軸ピン２７，２７にて枢結させ、然る後、前記軸ピン２６，２６，２７，２７に脱落防止用の図示しない抜け止めピンを組み付ける手間を無くすことができる。また、搬入先にて軸ピン２６，２６，２７，２７等の細かな部品の組み付け個所を最低限に抑えることができ、背ボトム６及び起伏機構５の各部材の前記摺動フレーム２及び基台フレーム１への組み付けをより簡単かつ楽に行える。
【００２０】
続いて、脚ボトム８と、前記基台フレーム１と摺動フレーム２間に前記起伏機構５を介して組み付けられる収納手段７について第１３図及び第１４図に基づいて説明する。
まず、脚ボトム８は、第１３図に示すように、平面視において後方側が開放された略々コ字形状に曲折された枠フレーム８ａの端部間に連結フレーム８ｂが固着されている。さらに、前記連結フレーム８ｂと枠フレーム８ａ前部側間に補強フレーム８ｃ，８ｃが所定間隔をおいて固着され、一方の該補強フレーム８ｃ前部と前記枠フレーム８ａ前部側に所定間隔をおいて取付軸８ｄ，８ｄが固着されている。また、前記補強フレーム８ｃ，８ｃの後部外側面には支持プレート８ｅ，８ｅが連結フレーム８ｂの後下方に突出した状態にて固着されている。さらに、前記枠フレーム８ａ前部側と連結フレーム８ｂ間に複数のステー材８ｇ，８ｇ，８ｇ，８ｆ，８ｆが固着されている。
次に、前記収納手段７は、収納フレーム２８と連動ロッド２９から構成されている。
前記収納フレーム２８は、第１３図に示すように、正面視にて略々コ字形状の開放側が外側を向くよう所定間隔をおいて配設されたレール２８ａ，２８ａの前端間に連結フレーム２８ｂが固着されると共に、該レール２８ａ，２８ａの後部間に正面視にて略々へ字形状に曲折された補強部材２８ｃが固着されている。また、前記連結フレーム２８ｂの上面に所定間隔をおいて軸受板２８ｄ，２８ｄが固着されると共に、中間部後面にブラケット２８ｅが固着されている。なお、前記レール２８ａ，２８ａは側面視にて略々逆ヘ字形状に屈曲されている。
前記連結ロッド２９は、棒状の部材であり、前端部が前記収納フレーム２８のブラケット２８ｅに軸ピン３０にて枢結されている。
【００２１】
このように構成された脚ボトム８と収納手段７は次のようにして前記起伏機構５介して基台フレーム１と摺動フレーム２間に組み付けられる。
まず、収納手段７は、第１３図に示すように、前記収納フレーム２８のレール２８ａ，２８ａ内にて前記基台フレーム１の前側フレーム９に設けたローラー９ｈ，９ｈ，・・・が転動されるように、収納フレーム２８を前記前側フレーム９の支持部材９ｆ，９ｆ間に差し込むようにして前後摺動可能に組み付ける。そして、連動ロッド２９の後端部を前記起伏機構５の増速リンク２０に設けた取付具２０ｂ，２０ｂに軸ピン３１にて枢結させ、第１４図に示す状態に、収納手段７を起伏機構５及び基台フレーム１に組み付ける。
次に、第１３図に示すように脚ボトム８の前記取付軸８ｄ，８ｄを収納フレーム２８の軸受板２８ｄ，２８ｄに枢結させて、第１４図に示す状態に脚ボトム８を収納フレーム２８に回動可能に組み付ける。
なお、前記取付軸８ｄ，８ｄ及び軸ピン３１には脱落防止用の図示しない抜け止めピンが組み付けられる。
【００２２】
このように脚ボトム８と収納手段７を組み付けることで、起伏機構５の増速リンク２０の回動に伴って連動ロッド２９が前後に押し引きされ、収納フレーム２８を基台フレーム１のローラー９ｈ，９ｈ，・・・に案内させながら前後方向斜めに移動させるようにしている。また、脚ボトム８の支持プレート８ｅ，８ｅと当接されている基台フレーム１に設けたローラー９ｊ，９ｊが収納フレーム２８の前後移動に伴って支持プレート８ｅ，８ｅに沿って転がり、脚ボトム８が取付軸８ｄ，８ｄを中心に回動されるようにしている。また、第１４図に示す状態では、前記支持プレート８ｅ，８ｅの下面と前記ローラー９ｊ，９ｊが当接する状態となり、脚ボトム８は床面に対して略々水平な状態で支持される（第１８図参照。）。
【００２３】
次に、前記基台フレーム１に組み付けられる腰ボトム４について第１５図及び第１６図に基づいて説明する。
腰ボトム４は、第１５図に示すように、平面視にて後方側が開放された略々コ字形状に曲折された枠フレーム４ａの後部間に連結フレーム４ｂが固着されている。また、側面視にて略々へ字形状に曲折された回動フレーム４ｃ，４ｃの後端部が前記連結フレーム４ｂの後下方へ突出する状態にて、該回動フレーム４ｃ，４ｃの前端部が前記枠フレーム４ａ前部側中間部に所定間隔をおいて固着され、回動フレーム４ｃ，４ｃと連結フレーム４ｂとの当接部が固着されている。さらに、前記回動フレーム４ｃ，４ｃの後端部には取付軸４ｄ，４ｄが固着されると共に、後部の前記連結フレーム４ｂ寄りの位置にはローラー４ｅ，４ｅ及び下方への突出量の調節可能な支持具４ｆ，４ｆが設けられている。また、前記連結フレーム４ｂの中間部には前記回動フレーム４ｃ，４ｃ間に位置するように穴空き板４ｇが固着されている。さらに、連結フレーム４ｂと枠フレーム４ａには平面視にて略々コ字形状に曲折された支持フレーム４ｈ，４ｈ，・・・，４ｉが固着されている。
【００２４】
このように構成された腰ボトム４は、第１５図に示すように前記取付軸４ｄ，４ｄを基台フレーム１に設けた軸受板１０ｊ，１０ｊに枢結させて、第１６図に示すように基台フレーム１に組み付ける。なお、前記取付軸４ｄ，４ｄには脱落防止用の図示しない抜け止めピンが組み付けられる。
このように組み付けられた腰ボトム４は、この第１６図に示す状態では、前記支持具４ｆ，４ｆが基台フレーム１に設けた支持プレート１０ｆ，１０ｆに当接した状態となり、床面に対して略々水平に支持される。また、腰ボトム４は、前記摺動フレーム２が前後移動することで、摺動フレーム２に設けた案内部材１６，１６に沿って腰ボトム４のローラー４ｅ，４ｅが移動され、該腰ボトム４が揺動されるように、基台フレーム１に対して取付軸４ｄ，４ｄを中心に回動可能に組み付けられている（第１８図参照）。
【００２５】
以上のように構成された各部材を上述したように組み立てると、第１７図に示すようにベッドＢは組み立てられる。
このように構成された本発明に係るベッドＢは、上述したように、前側フレーム９と後側フレーム１０からなる基台フレーム１と、摺動フレーム２と、起伏機構５を構成する各部材と、収納手段７を構成する各部材と、駆動手段３と、背ボトム６・腰ボトム４・脚ボトム８とに分解した状態から工具を用いずに各部材を組み立てできるように構成されている。また、各部材がコンパクトな構成かつ持ち運びしやすい状態とされていることで、運搬にも好適であり、一人での搬出入も可能となっている。さらに、このベッドＢは組み立てが簡単に行えるように各部材が構成さているおり、組み立てにおいて調節といった慣れや経験の必要がなく、間違った組み立てをする恐れもない。
したがって、当該ベッドＢは、組立分解を繰り返し行うようなレンタル向けのベッドとして好適なものとされている。
【００２６】
続いて、当該ベッドＢの動作について第１８図に基づいて説明する。
まず、（ａ）図に示すベッド状態では、駆動手段３は最も伸長された状態であり、基台フレーム１に対して摺動フレーム２が最も前方に移動した状態である。この状態では、腰ボトム４は、該腰ボトム４に設けた支持具４ｆ，４ｆが基台フレーム１に設けた支持プレート１０ｆ，１０ｆに当接されており、床面に対して略々水平に支持されている。また、この状態では、起伏機構５を構成するロッド２２，２２の基台フレーム１側の回動中心である軸ピン２７，２７と回動リンク２１の回動中心である支点ピン２５，２５が前後方向に最も離間した状態となっており、前記回動リンク２１及び増速リンク２０は最も前方へ回動されている。したがって、前記回動リンク２１が固着された背ボトム６は最も下方へ回動された状態となり、背ボトム６は基台フレーム１の後部に設けた支持具１０ｉ，１０ｉにて支持され、前記腰ボトム４の後方側にて該腰ボトム４と略々同一平面を形成するよう支持された状態となっている。また、増速リンク２０が最も前方へ回動された状態となっていることから、収納手段７の連動ロッド２９は最も前方へ押し出された状態となっており、収納フレーム２８及び脚ボトム８も最も前方へ押し出された状態となっている。この状態では、基台フレーム１前部に設けたローラー９ｊ，９ｊが脚ボトム８に設けた支持プレート８ｅ，８ｅ下面に当接されており、脚ボトム８は前記腰ボトム４の前方側にて該腰ボトム４と略々平行な平面を形成するように支持されている。
【００２７】
この（ａ）図に示すベッド状態から駆動手段３に短縮動作をさせて、摺動フレーム２を基台フレーム１に対して後方へ移動させると、摺動フレーム２前部に設けた案内部材１６，１６に沿って腰ボトム４に設けたローラー４ｅ，４ｅが移動することとなり、腰ボトム４前部側が上方へ回動される。また、これに伴って、起伏機構５を構成するロッド２２，２２の基台フレーム１側の回動中心である軸ピン２７，２７と回動リンク２１の回動中心である支点ピン２５，２５間の前後方向における距離が短くなり、前記ロッド２２，２２が背ボトム６を押し上げるように回動され、背ボトム６は前記支点ピン２５，２５を中心に回動されて背上げされる。この背ボトム６の背上げに伴って、背ボトム６に固着されている前記回動リンク２１が前記支点ピン２５，２５を中心に後下方へ回動され、該回動リンク２１の係止溝２４ａ，２４ａに通されている前記増速リンク２０に固着された固定ピン２３ｃ，２３ｃが後下方へ移動される。これにより、増速リンク２０は摺動フレーム２に設けた第一固定ピン１７ａ，１７ａを中心に後下方へ回動され、収納手段７の連動ロッド２９を後下方へ引き込むようになる。すると、前記収納フレーム２８は基台フレーム１前部に設けたローラー９ｈ，９ｈ，・・・に案内されながら後下方へ移動される。また、脚ボトム８は収納フレーム２８と共に移動されることから、脚ボトム８に設けた前記支持プレート８ｅ，８ｅが基台フレーム１前部に設けた前記ローラー９ｊ，９ｊ上を移動することとなり、前記支持プレート８ｅ，８ｅの側面視における形状に合わせて脚ボトム８の後部側が下方回動され、（ｂ）図に示す状態へとベッドＢは変形される。なお、前記増速リンク２０は摺動フレーム２と共に後方へ移動されると共に第一固定ピン１７ａ，１７ａを中心に回動して連動ロッド２９を引き込むようにされていることから、収納フレーム２８及び脚ボトム８の前後方向の移動量は駆動手段３の伸縮量より大きくなる。
【００２８】
そして、さらに駆動手段３に短縮動作をさせて、摺動フレーム２を基台フレーム１に対して最も後方へ移動させると、摺動フレーム２の前記案内部材１６，１６に沿って腰ボトム４のローラー４ｅ，４ｅがさらに移動され、腰ボトム４前部側が下方回動されて、腰ボトム４は前記支持具４ｆ，４ｆにて基台フレーム１に対して支持された略々水平な状態に戻る。また、これに伴って、起伏機構５を構成するロッド２２，２２の基台フレーム１側の回動中心である軸ピン２７，２７と回動リンク２１の回動中心である支点ピン２５，２５が前後方向に最も接近した状態となり、背ボトム６はさらに回動されて、背ボトム６は最も背上げされた状態となる。この背ボトム６の背上げに伴って、背ボトム６に固着されている前記回動リンク２１が前記支点ピン２５，２５を中心にさらに後方へ回動されて該回動リンク２１は最も後方へ回動される。これに伴って、前記増速リンク２０も前記第一固定ピン１７ａ，１７ａを中心にさらに後方へ回動されて該増速リンク２０も最も後方へ回動され、収納手段７の連動ロッド２９をさらに後方へ引き込む。すると、前記収納フレーム２８は基台フレーム１前部に設けたローラー９ｈ，９ｈ，・・・に案内されながらさらに後下方へと移動され、収納フレーム２８及び脚ボトム８は腰ボトム４下方に移動される。また、脚ボトム８の前記支持プレート８ｅ，８ｅと基台フレーム１の前記ローラー９ｊ，９ｊとの当接状態が解除され、脚ボトム８後部はさらに下方回動され、脚ボトム８後部が収納フレーム２８の中間部上面に当接した状態となり、（ｃ）図に示す椅子状態へとベッドＢは変形される。
なお、駆動手段３を伸長動作させると、上記とは逆の作用により、当該ベッドＢはベッド状態となるように変形される。
【００２９】
上記のように当該ベッドＢは動作され、駆動手段３を伸縮動作させることで、各ボトム４，６，８が水平状態である（ａ）図に示すベッド状態から、背ボトム６が背上げされると共に脚ボトム８が腰ボトム４下方に収納された（ｃ）図に示す椅子状態へと各ボトム４，６，８を動作させることができる。また、背ボトム８の背上げに伴って、腰ボトム４は上方回動するので、当該ベッドＢに仰臥している人が前方へずれることを防ぐことができる。
【００３０】
すなわち、当該ベッドＢは、ベッドＢ上にて快適に過ごすことができるように起伏機構５が設けられると共に、脚ボトム８を腰ボトム４下方に収納させる収納手段７が設けられており、水平な状態と椅子状の状態とに各ボトム４，６，８を変化させることができるようになっている。
また、加齢による運動能力の低下等によってベッドから立ち上がりが困難な方であっても、身体の向きを変えることなく、ベッドＢを椅子状態に変形させることで、至便に腰掛け姿勢をとることができ、また、身体の向きを変えることなくベッドＢ前方の開放空間を利用してベッドＢ前方へと立ち上がることができる。
これらの効果を有するベッドＢとすることによって、一般の家庭における在宅介護の場面においても、有効に活用することができる。
【００３１】
このように、当該ベッドＢは家庭での使用に適したベッドとされると共に、各部材、すなわち、前側フレーム９と後側フレーム１０からなる基台フレーム１と、摺動フレーム２と、起伏機構５を構成する各部材と、収納手段７を構成する各部材と、駆動手段３と、背ボトム６・腰ボトム４・脚ボトム８は、大きくとも一人でも持ち運びできる程度の大きさとなるように構成され、さらに互いの部材の組み付けには工具やボルトは使用せず、至便に組み立てが行えるようにされている。また、組み立てに際しては、各部材の調節や設定といった煩わしい作業も必要ないので経験や技能がなくとも容易に組み立てることができるベッドＢとされている。
また、起伏機構５の主要部材の組み立てにおいては、軸材と空孔部との嵌め合せ部を最低限に抑えた組立構造とすることから、嵌め合せ部から生じる小さなガタが複数介在することで、起伏機構全体が大きくガタつくことを防止している。よって、背ボトム６がガタつくことなく、背ボトム６に起伏動作をさせることができ、ベッドＢ上にてより快適に過ごすことができるようにされている。
【図面の簡単な説明】
【００３２】
【図１】前側フレームと後側フレームを組み合わせる様子を示す説明図（１）。
【図２】前側フレームと後側フレームを組み合わせる様子を示す説明図（２）。
【図３】前側フレームと後側フレームを互いに固定させる様子を示す説明図。
【図４】基台フレームを示す説明図。
【図５】基台フレームに摺動フレームを組み付ける様子を示す説明図。
【図６】基台フレームと摺動フレーム間に駆動手段を組み付けた様子を示す説明図。
【図７】摺動フレームに増速リンクを組み付ける様子を示す説明図（１）。
【図８】摺動フレームに増速リンクを組み付ける様子を示す説明図（２）。
【図９】増速リンクに回動リンクを組み付ける様子を示す説明図（１）。
【図１０】増速リンクに回動リンクを組み付ける様子を示す説明図（２）。
【図１１】増速リンクに回動リンクを組み付けた様子を示す説明図。
【図１２】基台フレームに起伏機構を組み付けた様子を示す説明図。
【図１３】収納手段を基台フレームと増速リンクに組み付ける様子を示す説明図。
【図１４】収納手段を基台フレームと増速リンクに組み付けた様子を示す説明図。
【図１５】腰ボトムを基台フレームに組み付ける様子を示す説明図。
【図１６】腰ボトムを基台フレームに組み付けた様子を示す説明図。
【図１７】本実施例のベッドを示す斜視図。
【図１８】ベッドの可動部が動作する様子を示す説明図。                        （ａ）ベッド状態における側断面図。                                         （ｂ）ベッド状態から椅子状態に変形する過程における一態様を示す側断面図。   （ｃ）椅子状態における側断面図。
【図１９】回動リンク及びロッドの別の組み付け方法を示す説明図。
【符号の説明】
【００３３】
１      基台フレーム
２      摺動フレーム
５      起伏機構
６      背ボトム
９      前側フレーム
９ｄ    下側桁フレーム
１０    後側フレーム
１０ｄ  上側桁フレーム
１１    係止軸
１２    連結具
１２ａ  空孔部
１３    係止プレート
１３ａ  係止溝
１４    連結柱
１４ａ  空孔部
１５    連結ピン
１６ａ  空孔部
１７ａ  第一固定ピン
１７ｃ  空孔部
２０    増速リンク
２１    回動リンク
２３ａ  係止溝
２３ｃ  固定ピン
２４ａ  係止溝
２４ｂ  空孔部
２５    支点ピン
Ｂ      ベッド
【図１】
2007202671.tif 000003
【図２】
2007202671.tif 000004
【図３】
2007202671.tif 000005
【図４】
2007202671.tif 000006
【図５】
2007202671.tif 000007
【図６】
2007202671.tif 000008
【図７】
2007202671.tif 000009
【図８】
2007202671.tif 000010
【図９】
2007202671.tif 000011
【図１０】
2007202671.tif 000012
【図１１】
2007202671.tif 000013
【図１２】
2007202671.tif 000014
【図１３】
2007202671.tif 000015
【図１４】
2007202671.tif 000016
【図１５】
2007202671.tif 000017
【図１６】
2007202671.tif 000018
【図１７】
2007202671.tif 000019
【図１８】
2007202671.tif 000020
【図１９】
2007202671.tif 000021